(57)【要約】【課題】  故障の原因がメディア側か光ディスク装置本体側にあるのかを容易に切り分け出来るようにする。【解決手段】  本光ディスク装置は標準メディアを装着可能であり、情報再生部（３）は、光ピックアップ（２）の出力に基づいて標準メディアまたは光ディスク（１）の動作状態を示す信号を測定するための測定手段（３０３〜３０７）と、この信号の正常値を予め記憶する記憶手段（３０２）と、測定値と正常値とを比較しその差が予め決められた範囲を超える場合異常検出信号を出力する比較検出手段（３０１）と、標準メディアについて比較検出手段から異常検出信号が出力されると光ディスク装置に異常が存在すると認識する認識手段（３０１）とを備えている。【選択図】      図１
2006040433.tif 000002
【特許請求の範囲】
【請求項１】
記録媒体の装着部と、前記装着部に装着された記録媒体の情報を読み取るためのピックアップと、該ピックアップ出力を処理して情報再生に必要な信号を生成する情報再生部とを備える記録媒体再生装置において、前記装着部は標準メディアを装着可能であり、前記情報再生部は、前記ピックアップ出力に基づいて前記装着部に装着された標準メディアまたは記録媒体の動作状態を示す信号を測定するための測定手段と、前記動作状態を示す信号の正常値を予め記憶する記憶手段と、前記測定手段によって測定された値と前記記憶手段に記憶された正常値とを比較しその差が予め決められた範囲を超えるかどうかを比較する比較検出手段と、前記比較検出手段により異常検出信号が出力されると当該記録媒体再生装置に異常が存在すると認識する認識手段、とを備えることを特徴とする、記録媒体再生装置。
【請求項２】
請求項１に記載の記録媒体再生装置において、前記記録媒体が光ディスクである場合、前記測定手段は、前記動作状態を示す信号として、標準メディアまたは光ディスクのサーボ信号、前記光ピックアップのレーザ駆動電流値、前記標準メディアまたは光ディスク再生時のエラーレート、前記光ピックアップからのＲＦ信号の振幅値およびジッタ量の少なくとも１個を測定することを特徴とする、記録媒体再生装置。
【請求項３】
請求項１または２に記載の記録媒体再生装置において、さらに、前記情報再生部の出力に基づいてユーザ操作情報を表示する表示部を備え、該表示部は、前記認識手段が当該記録媒体再生装置に異常が存在すると認識した場合当該記録媒体再生装置に異常があるとのメッセージを表示することを特徴とする、記録媒体再生装置。
【請求項４】
請求項１に記載の記録媒体再生装置において、前記測定手段は、前記動作状態を示す信号として、標準メディアまたは光ディスクのサーボ信号、前記光ピックアップのレーザ駆動電流値、前記標準メディアまたは光ディスク再生時のエラーレート、前記光ピックアップからのＲＦ信号の振幅値およびジッタ量を測定し、これら全ての測定値について前記比較検出手段から異常検出信号が出力されない場合、前記認識手段は当該記録媒体再生装置に異常が無いと判断し、前記表示部は当該記録媒体再生装置に異常が無いとのメッセージを表示することを特徴とする、記録媒体再生装置。
【請求項５】
請求項３に記載の記録媒体再生装置において、前記表示部は当該記録媒体再生装置に異常があるとのメッセージに加えて異常検出した測定値に関する情報を表示することを特徴とする、記録媒体再生装置。
【請求項６】
記録媒体再生装置に標準メディアを装着するステップと、前記装着された標準メディアに関してその動作状態に関する信号を測定するステップと、前記測定された信号値を予め設定された正常値と比較しその差が予め設定された範囲を超える場合前記記録媒体再生装置の異常であると認識するステップ、を備えることを特徴とする記録媒体再生装置の診断方法。
【請求項７】
請求項６に記載の記録媒体再生装置の診断方法において、前記記録媒体が光ディスクである場合、前記測定するステップは、前記認識するステップで前記記録媒体再生装置に異常があると認識されるまで、前記動作状態を示す信号として、標準メディアまたは光ディスクのサーボ信号、前記光ピックアップのレーザ駆動電流値、前記標準メディアまたは光ディスク再生時のエラーレート、前記光ピックアップからのＲＦ信号の振幅値およびジッタ量の測定を続けることを特徴とする、記録媒体再生装置の診断方法。
【請求項８】
請求項７に記載の記録媒体再生装置の診断方法において、前記動作状態を示す全ての信号について前記認識するステップで前記記録媒体再生装置の異常が認識されない場合、前記記録媒体再生装置に異常が無いことを示すメッセージと共にユーザが使用する光ディスクを当該記録媒体再生装置に装着することを促すメッセージを表示するステップと、装着された前記ユーザが使用する光ディスクについてその動作状態に関する信号を測定するステップと、ユーザ側光ディスクについて測定された前記信号の値を前記正常値と比較しその差が前記範囲を超えた場合前記ユーザの光ディスクに異常があると認識するステップ、をさらに備えることを特徴とする、記録媒体再生装置の診断方法。
【請求項９】
請求項１に記載の記録媒体再生装置において、当該記録媒体再生装置に異常がないと認識された場合、通常の記録媒体の装着、案内を行うと共に、装着された記録媒体の動作状態を標準メディアと同等の方法で測定、比較して、測定値が所定範囲を超える場合、当該記録媒体の異常が存在すると認識する記録媒体異常認識手段を備えることを特徴とする、記録媒体再生装置。
【発明の詳細な説明】
【技術分野】
【０００１】
本発明は、診断機能を備えた記録媒体再生装置およびその診断方法に関する。
【背景技術】
【０００２】
市販のメディア、例えば、ＣＤ、ＭＤ、ＤＶＤ、あるいは編集したメディア等を再生する光ディスク装置、磁気ディスク装置、磁気光ディスク装置（ＯＭ装置）等の記録媒体再生装置では、装置内に装着したメディアを読み取ることが出来ない不具合が生じると、その不具合がメディア側にあるのか装置側にあるのかを判別することが重要である。特に車載用の光ディスク装置の場合、メディアの再生時に不具合が生じると、装置を車体より取り外して不具合の原因を調べ、修理しなければならない。
【０００３】
特開平５−３０３８７９号「電子機器」に示す発明では、故障、異常状態の原因を容易に把握するために、機器に各種のセンサを設け、これらのセンサが検出した信号に基づいて故障等の原因を特定するようにしている。ところがこの装置であっても、ディスク側に故障の原因があることを想定していないので、ディスクの読み取りに異常が生じた場合は、ディスクの動作状態を検出するセンサ群の記録を読み出して故障の原因を把握するようにしている。従ってそのためには、機器を車体より取り外す必要がある。
【０００４】
【特許文献１】特開平５−３０３８７９
【発明の開示】
【発明が解決しようとする課題】
【０００５】
ところが、ユーザによって光ディスク装置等の記録媒体再生装置に故障があると指摘された場合でも、往々にして故障原因がメディア側にある。このような場合には、光ディスク装置等を車体より取り外して検査する必要は無い。したがって、ユーザより光ディスク装置に故障が生じたことを通知された場合に、その故障がメディア側にあるか装置側にあるかを即時に判断できれば、必要も無いのに装置を車体より取り外したりする煩雑な操作を実行する必要がなくなる。
【０００６】
本発明は、かかる点に関して為されたもので、故障の原因がメディア側にあるのか、光ディスク装置等の記録媒体再生装置側にあるのかを容易に判断することが可能な機能を備えた記録媒体再生装置、およびその装置における診断方法を提供することを目的とする。
【課題を解決するための手段】
【０００７】
本発明の装置は、記録媒体の装着部と、前記装着部に装着された記録媒体の情報を読み取るためのピックアップと、該ピックアップ出力を処理して情報再生に必要な信号を生成する情報再生部とを備える記録媒体再生装置において、前記装着部は標準メディアを装着可能であり、前記情報再生部は、前記ピックアップ出力に基づいて前記装着部に装着された標準メディアまたは記録媒体の動作状態を示す信号を測定するための測定手段と、前記動作状態を示す信号の正常値を予め記憶する記憶手段と、前記測定手段によって測定された値と前記記憶手段に記憶された正常値とを比較しその差が予め決められた範囲を超えるかどうかを比較する比較検出手段と、前記比較検出手段により異常検出信号が出力されると当該記録媒体再生装置に異常が存在すると認識する認識手段、とを備えて構成される。
【０００８】
上記装置では、故障または不具合の原因を調べようとする記録媒体再生装置を、まず診断モードに設定し、標準メディアを装着する。この標準メディアに対して、記録媒体再生装置の動作状態を示す各種の信号を測定し、その測定値を予めこの記録媒体再生装置内に記憶させた正常値と比較することによって、その測定値に異常があるか否かを判断する。今、メディア自身に問題を含まない標準メディアを使用して測定を行っているので、測定値に異常がある場合、その異常の原因は記録媒体再生装置側に存在するものと判断することができる。反対に、測定値に異常が無い場合、故障の原因がユーザの使用しているメディア側にあることが推測される。
【０００９】
以上のようにして、上記装置により、記録媒体再生装置の使用中に発生した故障または不具合の原因がメディア側にあるのか、再生装置側にあるのかを容易に切り分けることが可能である。
【００１０】
本発明の記録媒体再生装置の診断方法は、記録媒体再生装置に標準メディアを装着するステップと、前記装着された標準メディアに関してその動作状態に関する信号を測定するステップと、前記測定された信号値を予め設定された正常値と比較しその差が予め設定された範囲を超える場合前記記録媒体再生装置の異常であると認識するステップとによって構成される。
【００１１】
また、前記測定するステップは、前記記録媒体が光ディスクである場合、前記認識するステップで前記記録媒体再生装置に異常があると認識されるまで、前記動作状態を示す信号として、標準メディアのサーボ信号、前記光ピックアップのレーザ駆動電流値、前記標準メディア再生時のエラーレート、前記光ピックアップからのＲＦ信号の振幅値およびジッタ量の測定を続ける。
【００１２】
さらに、前記動作状態を示す全ての信号について前記認識するステップで前記記録媒体再生装置の異常が認識されない場合、前記記録媒体再生装置に異常が無いことを示すメッセージと共にユーザが使用する記録媒体を当該記録媒体再生装置に装着することを促すメッセージを表示するステップと、装着された前記ユーザが使用する記録媒体についてその動作状態に関する信号を測定するステップと、ユーザ側記録媒体について測定された前記信号の値を前記正常値と比較しその差が前記範囲を超えた場合前記ユーザの記録媒体に異常があると認識するステップ、を備えている。
【００１３】
その結果、標準メディアを使用した測定において異常が見られない場合、ユーザのメディアを使用して測定を行い、その測定値に異常が見られるとユーザ側メディアに問題があると判断することができる。これにより、記録媒体再生装置を例えば車体より取り外して、その故障または不具合の原因を調べる。
【発明の効果】
【００１４】
以上のように、本発明の記録媒体再生装置およびその診断方法によれば、標準メディアを使用して装置の状態を診断し、例えばその診断内容を表示部に表示させることにより、故障または不具合の原因が記録媒体再生装置側にあるのか、メディア側にあるのかを容易に判断することができる。そのため、メディア側に問題があるにも拘わらず、装置を車体より取り外して検査する等の不要な作業を防ぐことができる。
【発明を実施するための最良の形態】
【００１５】
以下に、本発明を、記録媒体が光ディスクである場合について説明する。図１は、本発明の１実施形態にかかる光ディスク装置の概略構成を示すブロック図である。図において、１はＣＤ、ＭＤ、ＤＶＤ等の光ディスク、２は光ピックアップユニット、３は情報再生部、４は表示制御部、さらに５はディスプレイなどの表示部を示す。周知の様に、光ピックアップユニット２、情報再生部３、表示制御部４および表示部５は光ディスク装置として一体に形成され、光ディスク１を装着可能である。
【００１６】
情報再生部３は、基本的に、プリアンプＩＣ３１、信号処理ＬＳＩ３２、再生部マイコン３３で構成されている。信号処理ＬＳＩ３２は、ＤＳＰ等で構成され、入出力信号の波形を成型し、かつ信号のＤＡあるいはＡＤ変換を行う。
【００１７】
再生部マイコン３３は、データ処理部３０１、メモリ３０２、サーボ信号測定部３０３、レーザダイオード（ＬＤ）電流値測定部３０４、エラーレート測定部３０５、ＲＦ振幅測定部３０６およびジッタ量測定部３０７を有する。なお、再生部マイコン３３は、本発明の特徴である診断機能を実現するための構成を中心にしてその構成が示されているが、その他に、情報再生部３、再生信号の出力部、ピックアップユニット２のサーボ機構制御部などを備えている。
【００１８】
再生部マイコン３３のメモリ３０２は、標準メディア、例えば基本ディスクを用いて測定した光ディスク装置の動作状態に関する各種の測定値、即ちサーボ信号測定値、ＬＤ電流測定値、エラーレート測定値、ＲＦ振幅測定値およびジッタ量測定値が、規格値（正常値）として記憶されている。データ処理部３０１は、光ディスク装置に装着されたメディアの各種測定値とメモリ３０２内に記憶されている規格値とを予め組み込まれたプログラムに従って比較し、比較結果に基づいて光ディスク装置の状態を認識し、認識結果に基づいて所定の出力を表示制御部４に出力する。
【００１９】
なお、サーボ信号測定部３０３は、この明細書でサーボ信号として総称するフォーカスオフセット信号、トラッキングオフセット信号、フォーカスバランス信号およびトラッキングバランス信号を測定する。
【００２０】
表示制御部４は、表示部マイコン４１、ＤＳＰ等である信号処理ＬＳＩ４２、表示部５を駆動するためのドライバＩＣ４３を備えている。表示部マイコン４１は、情報再生部の出力に基づいて、表示部５に所定のメッセージを表示させるための信号を生成する。
【００２１】
図２および図３は、本発明の一実施形態にかかる光ディスク装置において、診断機能を実現するための制御フローを示す図である。以下に、図２および３を参照して、図１に示す装置の動作を、特に診断機能に関して説明する。
【００２２】
例えば、図１に示す光ディスク装置が車載用の装置である場合、ユーザがその使用時に不具合に遭遇すると、車両をディーラーに持ち込んで修理を依頼する。この場合、従来ではディーラー側で車体より光ディスク装置を取り外して修理する。これに対して本発明の装置では、まず、光ディスク装置に設けた操作ボタン（図示せず）により該装置を診断モードに設定し、診断処理を開始する（ステップＳ１）。このとき、表示制御部４では、再生部マイコン３３の指示に従って表示マイコン４１が「診断処理を開始します。標準メディア（基本ディスク）を挿入して下さい。」等のメッセージを選択し、これを表示部５に表示させる。
【００２３】
あるいは、光ディスク装置の装着部に標準メディアを装着した場合に、これを診断モードの開始と自動的に判断することも可能である。次に、上記表示に従って、予めディーラー側で用意されていた標準メディア、例えば基本ディスクを光ディスク装置のデッキ内に挿入する。標準メディアに関しては、故障あるいは不具合の無い光ディスク装置で駆動される場合の各測定値、即ち正常値（以下、規格値）が、再生部マイコン３３内のメモリ３０２に記憶されている。
【００２４】
基本ディスクの挿入によって、まず、サーボ信号の測定を開始する（ステップＳ３）。サーボ信号の測定は、ピックアップユニット２から出力される信号に基づいて、マイコン３３内のサーボ信号測定部３０３で行われる。測定は、具体的には、基本ディスクを挿入した場合のフォーカスオフセット、トラッキングオフセット、フォーカスバランス、トラッキングバランスに関して行われる。
【００２５】
これらの値に対して、それぞれ測定可能か否か（ステップＳ４）、測定可能である場合その測定値が規格値の許容範囲内にあるか否かを判定する（ステップＳ５）。この判定は、サーボ信号測定部３０３の出力をデータ処理部３０１においてメモリ３０２内に格納された規格値と比較することにより行われる。
【００２６】
今、デッキ内に挿入されているディスクは基本ディスクであって、従ってディスク自体に問題は無いと推定できる。そのため、測定不可能の場合（ステップＳ４のＮＯ）、さらに測定可能であってもその測定値が規格値の許容範囲内にない場合（ステップＳ５のＮＯ）は、光ディスク装置本体（デッキ）に問題があると判断することができるので、データ処理部３０１は、基本ディスクをデッキより排出する信号を生成して、ディスクをデッキから排出させる（ステップＳ６）。同時に、表示制御部４に指示して表示部５に「デッキに異常が見られます」とのメッセージを表示させ（ステップＳ７）、診断処理を終了する（ステップＳ８）。
【００２７】
サーボ信号の測定に異常が見られない場合（ステップＳ５のＹＥＳ）、次にレーザダイオードの電流値を測定する（ステップＳ９）。この測定も、ピックアップユニット２からの信号に基づいて再生部マイコン３３内のＬＤ電流値測定部３０４内で行われる。レーザダイオードはピックアップユニット２に設けられ、ディスク１に光を照射してその反射波をデイテクタで検出するために設けられている。
【００２８】
検出された信号は、ＲＦ信号としてプリアンプＩＣ３１において増幅され、信号処理ＬＳＩ３２において波形整形、２値化処理され、再生部マイコン３３に入力されてここで信号の読み取り等の処理（図示せず）が行われる。ディスク１に傷や汚れがあってディスク１の情報が読み取れない場合、情報再生部３はレーザダイオードにさらに電流を流して発光量を大きくし、ディスク１を読み取ろうとする。
【００２９】
従って、レーザダイオード電流値に異常がある場合は、ディスク１に異常があるか、ピックアップユニットを含めた再生部に異常があるかのいずれかである。今、基本ディスクを使用しているので、ディスク側には異常がない。従って、ステップＳ９のＬＤ電流値の測定で異常が観測されると（ステップＳ１０のＮＯ）、再生部、即ちデッキ側に異常があると判断される。
【００３０】
従って、ステップＳ１０でＮＯの場合は、ステップＳ６、ステップＳ７を実行して診断処理を終了する（ステップＳ８）。なお、図２の“Ａ”は、ステップＳ４およびＳ５と同様の行程を示すものとする。
【００３１】
ＬＤ電流値測定に異常がない場合（ステップＳ１０のＹＥＳ）は、次にエラーレートの測定を実行する（ステップＳ１１）。エラーレートは、ディスク１から読み取ったデータの内、読み取りエラーがどれだけの割合を占めているかを表すものである。今、基本ディスクの読み取りを行っているので、測定値に異常が生じた場合は、ディスク側にその異常の原因があるわけではなく、再生部側に原因があるものと考えられる。従ってステップＳ１２でＮＯの場合、再生部側に問題があるものとして、ステップＳ６、Ｓ７を実行した後、診断処理を終了する（ステップＳ８）。
【００３２】
ステップＳ１２でＹＥＳの場合、即ちエラーレートの測定値に異常が見られない場合は、ステップＳ１３でＲＦ信号における振幅の測定を行う。今、基本ディスクを使用しているので、ディスクが原因でＲＦ信号に異常が生じる事がない。従って、ステップＳ１４で異常が検出されると、再生部側に異常の原因があるものとして、ステップＳ６、Ｓ７を実行し診断処理を終了する（ステップＳ８）。
【００３３】
ＲＦ信号の振幅に異常が見られない場合（ステップＳ１４のＹＥＳ）、ステップＳ１５でジッタ量の測定を行う。ジッタ量は、ＲＦ信号のタイミングの揺らぎを示す量であり、今、基本ディスクが使用されているのでデッキ側に問題が無い限り、その量は規格値の許容範囲内である。従ってステップＳ１６で異常が検出されると、その異常は再生部側に原因があるものとして、その他の測定値の場合と同様に、ステップＳ６およびＳ７を実行し、診断処理を終了する。
【００３４】
一方、ステップＳ１６でＹＥＳの場合には、デッキ側に問題が無いとして、ステップＳ１７で基本ディスクを排出し、表示部５に、「デッキに異常は見られません。お客様のディスクを挿入して下さい。」とのメッセージを表示させる（ステップＳ１８）。
【００３５】
以上のようにして、基本ディスク、即ち標準メディアを使用したデッキの異常検出が終了すると、次に図３に示す様に、ユーザのメディアを検証する処理を実行する。なお、図２の“Ｂ”は、図３の“Ｂ”にステップが続くことを示している。ステップＳ２０でユーザが使用しているメディア、即ち市販のＣＤ、ＭＤ、ＤＶＤ等のディスクあるいは編集されたディスクをデッキに挿入する。この状態で、サーボ信号の測定を行う（ステップＳ２１）。
【００３６】
図２に示した標準メディアを挿入した場合のサーボ信号の測定は、フォーカスオフセット、トラッキングオフセット、フォーカスバランス、トラッキングバランスに関して行ったが、ステップＳ２１ではフォーカスバランスおよびトラッキングバランスのみについて行う。フォーカスオフセットおよびトラッキングオフセットに関しては、本来、再生部内の回路で発生するものであるため、標準メディアを使用してデッキ内に異常が無いことを確認した状態では、その測定の必要が無い。従ってステップＳ２１では、フォーカスバランスおよびトラッキングバランスについてのみ測定を行う。
【００３７】
次に、図２に示すステップＳ４からＳ１６までを、図２に示した場合と同様にして実行する（ステップＳ２２）。図３の“Ｃ”は、図２のステップＳ４〜Ｓ１６までを示す。ステップＳ２２の実行によって、ユーザが使用しているディスクに異常が存在するか否かが判定される。ステップＳ２２のいずれかの段階でＮＯの判定が為されると、その異常の発生は、ユーザ側のディスクに依存するものと考えられる。これは、標準メディアを使用してデッキ側に異常が無いことが既に確認されているからである。
【００３８】
従って、ステップＳ２２でＮＯの場合、ステップＳ２３においてメディアをデッキ内より排出し、ステップＳ２４で表示部５に、「お客様のメディアに異常が見られます。」とのメッセージを表示し、処理を終了する（ステップＳ２５）。一方、ステップＳ２２の全ての段階でＹＥＳの場合、ユーザのメディアにも異常が無いことが確認されるため、ステップＳ２６でメディアをデッキより排出し、ステップＳ２７で表示部５に、「お客様のメディアにも異常は見られません」とのメッセージを表示し、処理を終了する。以上によって、故障の原因がデッキ側にあるのか、ユーザ側メディアにあるのかの切り分けが完了する。
【００３９】
図４は、本発明の他の実施形態にかかる光ディスク装置の制御フローの一部を示す図であり、特にこの装置の特徴的な部分を示す。この実施形態では、図２に示した標準メディアを使用する診断フローにおいて、測定値に異常が出た場合、表示部５に、デッキ側に異常があることを知らせるメッセージと共に、どの測定値に異常が生じたかを知らせるメッセージを表示することを特徴としている。
【００４０】
即ち、図２のステップＳ４またはＳ５でＮＯの場合、本実施形態では、図４のステップＳ３０に移動してメディアをデッキより排出した後、表示部５に「デッキに異常が見られます。サーボ信号が異常です。」とのメッセージを表示し、処理を終了する（ステップＳ３２）。図２のステップＳ１０でＮＯの場合、図４のステップＳ３３に移動してメディアをデッキより排出すると共に、ステップＳ３４で表示部５に「デッキに異常が見られます。ＬＤ電流値が異常です。」とのメッセージを表示する。
【００４１】
図２のステップＳ１２でＮＯの場合、図４のステップＳ３５に移動してメディアをデッキより排出すると共に、ステップＳ３６で「デッキに異常が見られます。エラーレートが異常です。」を表示する。ステップＳ１４でＮＯの場合は、ステップＳ３７でメディアをデッキから排出した後、ステップＳ３８で「デッキに異常が見られます。ＲＦ振幅が異常です。」を表示する。
【００４２】
さらに、図２のステップＳ１６でＮＯの場合は、ステップＳ３９で標準メディアをデッキから排出した後、ステップＳ４０で「デッキに異常が見られます。ジッタ量が異常です」を表示する。ステップＳ３１、Ｓ３４、Ｓ３６、Ｓ３８およびＳ４０の実行後はいずれも処理を終了する（ステップＳ３２）。
【００４３】
以上のように、本発明の第２の実施形態にかかる光ディスク装置では、デッキ側での異常の検出と同時に異常が発生した測定値を特定する表示を行うことによって、その後の装置の修理に役立つ有益な情報を提供することができる。
【図面の簡単な説明】
【００４４】
【図１】本発明の第１の実施形態にかかる光ディスク装置の概略構成を示すブロック図。
【図２】図１に示す装置の動作説明のためのフローチャートの前半部分を示す図。
【図３】図２に示すフローチャートの後半部分を示す図。
【図４】本発明の第２の実施形態にかかる光ディスク装置の動作説明のための図。
【符号の説明】
【００４５】
１    光ディスク
２    ピックアップユニット
３    情報再生部
４    表示制御部
５    表示部
３３    再生部マイコン
４１    表示部マイコン
３０１    データ処理部
３０２    メモリ
３０３    サーボ信号測定部
３０４    ＬＤ電流値測定部
３０５    エラーレート測定部
３０６    ＲＦ振幅測定部
３０７    ジッタ量測定部
【図１】
2006040433.tif 000003
【図２】
2006040433.tif 000004
【図３】
2006040433.tif 000005
【図４】
2006040433.tif 000006